(57)【要約】【課題】全方向からの表示灯の視認性を確保できるようにして、表示灯の数を削減できるようにする。【解決手段】熱を検出する感熱素子１と暗箱２内に流入した煙を検出する煙検出部３とが取付けられたプリント基板５と、プリント基板５を収納するとともに、暗箱２を保護する保護部７が凸設され、さらに感熱素子１の先端部１ａが挿通可能な挿通孔８が設けられた筐体６と、プリント基板５に取り付けられた表示灯４と、表示灯４に対応して筐体６に設けられたライトガイド挿入孔９と、先端部が保護部７よりも外方に突出するとともに、基端部１２ｂが表示灯４に臨むようにライトガイド挿入孔９に挿入されて筐体６に係合する導光性材料からなるライトガイド１２と、を設ける。【選択図】図２
2009211610.tif 000002
【特許請求の範囲】
【請求項１】
熱を検出する感熱素子と暗箱内に流入した煙を検出する煙検出部とが取付けられたプリント基板と、
前記プリント基板を収納するとともに、前記暗箱を保護する保護部が凸設され、さらに前記感熱素子の先端部が挿通可能な挿通孔が設けられた筐体と、
前記プリント基板に取り付けられた表示灯と、
前記表示灯に対応して前記筐体に設けられたライトガイド挿入孔と、
先端部が前記保護部よりも外方に突出するとともに、基端部が前記表示灯に臨むように前記ライトガイド挿入孔に挿入されて前記筐体に係合する導光性材料からなるライトガイドと、
を備えることを特徴とする熱煙複合型火災感知器。
【請求項２】
前記保護部は、前記筐体から立設された複数の脚部と、これら複数の脚部に連結された天板とからなり、
前記ライトガイドは、前記先端部が折り返され、その折返し部の外側面に粗面加工が施されているとともに、その折返し部の末端が前記天板と係合可能に構成されてなることを特徴とする請求項１記載の熱煙複合型火災感知器。
【請求項３】
前記感熱素子は、前記暗箱近傍の側方に配置されて先端部が前記保護部よりも外方に突出するように立設され、
前記表示灯は、前記感熱素子の近傍に配置され、
前記ライトガイドは、前記折返し部が前記感熱素子よりも外方に突出し、該折返し部の円弧内に前記感熱素子の先端部が位置するように配置されてなることを特徴とする請求項２記載の熱煙複合型火災感知器。
【請求項４】
前記ライトガイドは、前記折返し部を含む先端側がホーク状に形成されており、
前記感熱素子は、該ホークのスリットに対応する位置に配置されてなることを特徴とする請求項３記載の熱煙複合型火災感知器。
【発明の詳細な説明】
【技術分野】
【０００１】
本発明は、熱を検出する感熱素子と煙を検出する煙検出部と表示灯とを備え、煙と周囲温度とから火災を感知し報知する熱煙複合型火災感知器に関する。
【背景技術】
【０００２】
従来より、熱を検出する感熱素子と煙を検出する煙検出部と筐体開口に臨ませて筐体内部に配置した表示灯とを備え、周囲温度と煙とから火災を感知し、火災検出時には表示灯を点灯させることで、火災を認識させるようにした熱煙複合型火災感知器は知られている。そして、このようなものにおいては、筐体中央に煙検出部が凸設され、この煙検出部の上に、さらにサーミスタなどの感熱素子を上積みし、サーミスタはその周りをプロテクタによって保護する構造方式が一般に採用されている。しかし、この構造方式の場合、感熱素子の配線を、煙検出部の内部を貫通させたり、あるいは煙検出部の側方に迂回させたものを上側中央に位置するように屈曲させたりする必要がある。
【０００３】
そこで、サーミスタの基部を暗箱の側方に位置させて筐体内のプリント基板に取り付け、そして、そのままサーミスタの先端部を筐体外に突出させ、サーミスタはその突出部の周りをプロテクタによって保護するようにして、組み立て性やメンテナンス性を向上させたものが提案されている（例えば、特許文献１参照）。
【０００４】
【特許文献１】特開平０９−０９１５５９号公報（図１，図４，図８）
【発明の開示】
【発明が解決しようとする課題】
【０００５】
しかしながら、既述したように筐体中央に煙検出部が凸設されているので、表示灯が取り付けられている側とは凸部を挟む反対側からの表示灯の視認性が悪く、これを解消するために煙検出部周りの複数箇所に表示灯を設置せざるを得ず、設計的および意匠上の制約を受け、かつコスト高を招いていた。
【０００６】
本発明の技術的課題は、全方向からの表示灯の視認性を確保できるようにして、表示灯の数を削減できるようにすることにある。
【課題を解決するための手段】
【０００７】
本発明に係る熱煙複合型火災感知器は、熱を検出する感熱素子と暗箱内に流入した煙を検出する煙検出部とが取付けられたプリント基板と、プリント基板を収納するとともに、暗箱を保護する保護部が凸設され、さらに感熱素子の先端部が挿通可能な挿通孔が設けられた筐体と、プリント基板に取り付けられた表示灯と、表示灯に対応して筐体に設けられたライトガイド挿入孔と、先端部が保護部よりも外方に突出するとともに、基端部が表示灯に臨むようにライトガイド挿入孔に挿入されて筐体に係合する導光性材料からなるライトガイドと、を備えるものである。
【０００８】
また、保護部は、筐体から立設された複数の脚部と、これら複数の脚部に連結された天板とからなり、ライトガイドは、先端部が折り返され、その折返し部の外側面に粗面加工が施されているとともに、その折返し部の末端が天板と係合可能に構成されてなるものである。
【０００９】
また、感熱素子は、暗箱近傍の側方に配置されて先端部が保護部よりも外方に突出するように立設され、表示灯は、感熱素子の近傍に配置され、ライトガイドは、折返し部が感熱素子よりも外方に突出し、この折返し部の円弧内に感熱素子の先端部が位置するように配置されてなるものである。
【００１０】
また、ライトガイドは、折返し部を含む先端側がホーク状に形成されており、感熱素子は、このホークのスリットに対応する位置に配置されてなるものである。
【発明の効果】
【００１１】
本発明に係る熱煙複合型火災感知器においては、熱を検出する感熱素子と暗箱内に流入した煙を検出する煙検出部とが取付けられたプリント基板と、プリント基板を収納するとともに、暗箱を保護する保護部が凸設され、さらに感熱素子の先端部が挿通可能な挿通孔が設けられた筐体と、プリント基板に取り付けられた表示灯と、表示灯に対応して筐体に設けられたライトガイド挿入孔と、先端部が保護部よりも外方に突出するとともに、基端部が表示灯に臨むようにライトガイド挿入孔に挿入されて筐体に係合する導光性材料からなるライトガイドと、を備えているので、火災発報時に表示灯が点灯すると、その光は、ライトガイド内に入射されてライトガイド内の表層部分（空気層との間：界面）で反射しながら伝播し、先端面で発光する。このため、全方向からの視認性を確保することができる。なお、入射光はライトガイド内を伝播する際、一部の光がライトガイドから外へ逃げていく入射角度に設定すれば、減衰しながら伝播するものの、ライトガイド全体を輝かせることができ、視認性を一層向上させることができる。
【００１２】
また、保護部は、筐体から立設された複数の脚部と、これら複数の脚部に連結された天板とからなり、ライトガイドは、先端部が折り返され、その折返し部の外側面に粗面加工が施されているとともに、その折返し部の末端が天板と係合可能に構成されているので、ライトガイドを保護部の脚部の一つとして機能させることができるとともに、保護部が突出している分、ライトガイドの全長を短くすることができ、コストダウンにつながる。そして、全体として部品点数を増やすことなく、ライトガイド機能を付加することができる。さらに、ライトガイド内に入射されて伝播する光は、保護部よりも外方に突出する折返し部の外側面に施されている粗面加工部にて乱反射し、ライトガイドから外へ飛び出していくので、折返し部を発光させることができ、視認性を一層向上させることができる。なお、入射光をライトガイド内の表層部分（空気層との間：界面）で全部反射するような入射角度に設定すれば、粗面加工部（折返し部）に至るまでの伝播時の減衰を抑えることができ、粗面加工部での発光量（輝度）を高めることが可能となる。
【００１３】
また、感熱素子は、暗箱近傍の側方に配置されて先端部が保護部よりも外方に突出するように立設され、表示灯は、感熱素子の近傍に配置され、ライトガイドは、折返し部が感熱素子よりも外方に突出し、この折返し部の円弧内に感熱素子の先端部が位置するように配置されているので、ライトガイドを感熱素子のプロテクタとして機能させることができる。このため、感熱素子のプロテクタを別に設ける必要がなく、全体として部品点数を減らしながら、ライトガイド機能を付加することができる。
【００１４】
また、ライトガイドは、折返し部を含む先端側がホーク状に形成されており、感熱素子は、このホークのスリットに対応する位置に配置されているので、感熱素子直下からの熱気流も効果的に捕らえることができる。
【発明を実施するための最良の形態】
【００１５】
以下、図示実施形態により本発明を説明する。
図１は本発明の一実施形態に係る熱煙複合型火災感知器を暗箱の保護部を上にした状態で示す斜視図、図２は図１から保護部を外した状態で示す斜視図、図３はその要部であるライトガイドを示す斜視図、図４はライトガイドの平面図、正面図、及び側面図、図５は熱煙複合型火災感知器を保護部側から見た正面図、図６は図５のＡ−Ａ線矢視断面図、図７は図６のＢ部を拡大して示す断面図、図８は図７の要部を更に拡大して示す断面図である。
【００１６】
本実施形態の熱煙複合型火災感知器は、熱を検出する感熱素子すなわちサーミスタ１と暗箱２内に流入した煙を検出する煙検出部３と例えばＬＥＤから成る表示灯４とが互いに近設して取付けられたプリント基板５と、本体部６ａとカバー部６ｂとから成り、本体部６ａ内にプリント基板５を収納するとともに、カバー部６ｂに暗箱２を保護する保護部７が凸設され、さらにサーミスタ１の先端部が挿通可能な挿通孔８と表示灯４に対応するライトガイド挿入孔９とが設けられた筐体６と、先端部１２ａが保護部７よりも外方に突出するとともに、基端部１２ｂが表示灯４に臨むようにライトガイド挿入孔９に挿入（圧入）されて係止部１２ｃが筐体すなわちライトガイド挿入孔９の縁部に係合可能な導光性材料からなるライトガイド１２と、を設けたものである。
【００１７】
これを更に詳述すると、煙検出部３は、周知のように外光を遮光して煙粒子のみを導入するように多数の遮光フィンを周部に配列した円筒状のラビリンス体の内部に設定された煙監視領域に臨ませて、発光素子３ａと受光素子３ｂを配置（図５）してなるものであって、発光素子３ａからの光を煙監視領域に向けて投光するとともに煙粒子による散乱光を受光素子３ｂで受光し、受光素子３ｂの出力に基づいて煙粒子の存否、つまり火災発生の有無を検出するものである。なお、暗箱２の周りには一般に防虫網（図示せず）が設置される。
【００１８】
保護部７は、図１及び図５のように筐体６から立設された複数の脚部７ａと、これら脚部７ａに連結された天板７ｂとから形成されている。
【００１９】
ライトガイド１２は、先端部１２ａが折り返され、その折返し部の外側面に粗面加工１２ｄが施され、これによって光拡散性（透光性）を持たせている。つまり、ライトガイド１２は、表示灯４から入射されて伝播する光を、保護部７よりも外方に突出する折返し部の粗面加工部１２ｄにて乱反射させて、ライトガイド１２から外へ飛び出させることができ、折返し部を発光させることが可能となっていて、全方向からの視認性を確保することができるようになっている。なお、入射光はライトガイド内を伝播する際、一部の光がライトガイドから外へ逃げていく入射角度に設定すれば、減衰しながら伝播するものの、ライトガイド全体を輝かせることができ、視認性を一層向上させることができる。また、ライトガイド１２に折返し部や粗面加工部を設けずストレート状に形成し、かつ入射光の入射角度を全反射する角度に設定すれば、先端面に至るまでの伝播時の減衰を抑えることができ、先端面のみで高輝度で発光させることができる。さらに、前述のように折返し部を設け、その外側面に粗面加工部１２ｄを施したものにおいて、入射光の入射角度を全反射する角度に設定すれば、粗面加工部１２ｄに至るまでの伝播時の減衰を抑えることができ、粗面加工部１２ｄを高輝度で発光させることができ、視認性をより一層向上させることができる。
【００２０】
また、ライトガイド１２は、折返し部の末端１２ｅが天板７ｂの周縁部と係合可能に構成されている。このため、ライトガイド１２を保護部７の脚部の一つとして機能させることができるとともに、保護部７が突出している分、ライトガイド１２の全長を短くすることができ、コストダウンにつながる。そして、全体として部品点数を増やすことなく、ライトガイド機能を付加することができる。
【００２１】
サーミスタ１は、暗箱２近傍の側方に配置されて先端部１ａが保護部７よりも外方に突出するように立設され、表示灯４は、サーミスタ１の近傍に配置され、ライトガイド１２は、折返し部がサーミスタ１よりも外方に突出し、この折返し部の円弧内にサーミスタ１の先端部１ａが位置するように配置されている。このようにサーミスタ１をライトガイド１２の内側に配置したため、ライトガイド１２をサーミスタ１のプロテクタとして機能させることができ、サーミスタ１のプロテクタを別に設ける必要がなく、全体として部品点数を減らしながら、ライトガイド機能を付加することができる。また、サーミスタ１は、先端部１ａが保護部７よりも外方に突出しているので、暗箱２を挟んだ方向からの熱気流を効果的に捕らえることができる。また、サーミスタ１と表示灯４とを近設配置するので、プリント基板５の小型化、感知器自体の小型化を達成することができる。
【００２２】
また、ライトガイド１２は、折返し部を含む先端側がホーク状（二股状）に形成されており、サーミスタ１は、ライトガイド１２の折返し部の円弧内にてホークのスリット１２ｆに対応する位置に配置されている。このため、サーミスタ１は、直下からの熱気流も効果的に捕らえることができる。なお、ライトガイド１２の基端部１２ｂにおける表示灯４との対向面は、集光性を高めるために図８のように凹陥する球面１２ｇに形成されている。
【００２３】
このように、本実施形態の熱煙複合型火災感知器は、ライトガイド１２によって表示灯４の光を保護部７よりも外方に導いて発光させるとともに、ライトガイド１２を保護部７の脚部の一つとして、またサーミスタ１のプロテクタとして機能させることができるので、全体として部品点数を減らしながら、視認性をより向上させることができる。
【００２４】
なお、ライトガイド１２の表面に蛍光塗料を塗布し、光源（表示灯）に前記蛍光塗料に蛍光現象を発現させ得る波長の光（例えば青色ＬＥＤ等）を使用すれば、視認性をより向上させることができる。
【図面の簡単な説明】
【００２５】
【図１】本発明の一実施形態に係る熱煙複合型火災感知器を暗箱の保護部を上にした状態で示す斜視図である。
【図２】図１から保護部を外した状態で示す斜視図である。
【図３】本発明の一実施形態に係る熱煙複合型火災感知器の要部であるライトガイドを示す斜視図である。
【図４】本発明の一実施形態に係る熱煙複合型火災感知器のライトガイドの平面図、正面図、及び側面図である。
【図５】本発明の一実施形態に係る熱煙複合型火災感知器を保護部側から見た正面図である。
【図６】図５のＡ−Ａ線矢視断面図である。
【図７】図６のＢ部を拡大して示す断面図である。
【図８】図７の要部を更に拡大して示す断面図である。
【符号の説明】
【００２６】
１  サーミスタ（感熱素子）
１ａ  サーミスタの先端部
２  暗箱
３  煙検出部
４  表示灯
５  プリント基板
６  筐体
７  保護部
７ａ  脚部
７ｂ  天板
８  挿通孔
９  ライトガイド挿入孔
１２  ライトガイド
１２ｂ  基端部
１２ｄ  粗面加工部
１２ｆ  ホークのスリット
【図１】
2009211610.tif 000003
【図２】
2009211610.tif 000004
【図３】
2009211610.tif 000005
【図４】
2009211610.tif 000006
【図５】
2009211610.tif 000007
【図６】
2009211610.tif 000008
【図７】
2009211610.tif 000009
【図８】
2009211610.tif 000010